(57)【要約】【課題】男性用失禁パッド包装体から男性用失禁パッドを取り出した際に、使用者が容易にその使用方法が分かるように男性用失禁パッドが包装された男性用失禁パッド包装体を提供する。【解決手段】長手方向と幅方向を有する男性用失禁パッド１が容器３２内に収容された男性用失禁パッド包装体３１であって、男性用失禁パッド１は、長手方向に折り畳まれたプリーツ部を有するアウター部材を有し、アウター部材の外面側にはプリーツ部よりも長手方向の外方に粘着部７が設けられ、男性用失禁パッド１が、粘着部７が外側になるように長手方向に延びる第１折り目２１で折り返され、さらに幅方向に延びる第２折り目２２で折り返されて、折り畳まれた男性用失禁パッド１が容器３２に収容され、容器３２には粘着部７と接合した剥離シート３３が固定されており、容器３２は男性用失禁パッド１が第２折り目２２側から取り出し可能に形成されている。【選択図】図６
2013158451.tif 000002
【特許請求の範囲】
【請求項１】
長手方向と幅方向を有する男性用失禁パッドが容器内に収容された男性用失禁パッド包装体であって、
前記男性用失禁パッドは、長手方向に折り畳まれることにより山折りと谷折りが形成されたプリーツ部を有するアウター部材を有し、
前記アウター部材の外面側には、前記プリーツ部よりも長手方向の外方に粘着部が設けられ、
前記男性用失禁パッドが、前記粘着部が外側になるように長手方向に延びる第１折り目で折り返され、さらに幅方向に延びる第２折り目で折り返されることにより、折り畳まれた男性用失禁パッドが形成され、折り畳まれた男性用失禁パッドが前記容器に収容され、
前記容器には、前記粘着部と接合した剥離シートが固定されており、
前記容器は、前記折り畳まれた男性用失禁パッドが前記第２折り目側から取り出し可能に形成されていることを特徴とする男性用失禁パッド包装体。
【請求項２】
複数の前記男性用失禁パッドが前記容器内に収容されている請求項１に記載の男性用失禁パッド包装体。
【請求項３】
前記アウター部材には、前記第２折り目の両側に前記プリーツ部が各々設けられている請求項１または２に記載の男性用失禁パッド包装体。
【請求項４】
前記男性用失禁パッドは、前記第１折り目の一方側であって前記第２折り目の一方側を第１部分とし、前記第１折り目の一方側であって前記第２折り目の他方側を第２部分とし、前記第１折り目の他方側であって前記第２折り目の一方側を第３部分とし、前記第１折り目の他方側であって前記第２折り目の他方側を第４部分としたとき、前記男性用失禁パッドが、前記第１折り目で折り返され、さらに前記第２折り目で前記第３部分と前記第４部分が内側になるように折り返され、
前記粘着部は、前記第１部分と前記第２部分と前記第３部分と前記第４部分のそれぞれの外面側に設けられ、
前記剥離シートは、前記第１部分の外面側、前記第２部分の外面側、および前記第３部分と前記第４部分の間にそれぞれ設けられている請求項３に記載の男性用失禁パッド包装体。
【請求項５】
前記男性用失禁パッドは、前記アウター部材の肌面側に吸収体が備えられ、
前記吸収体は、長手方向の端縁近傍が前記第１折り目の両側で接合されている請求項１〜４のいずれか一項に記載の男性用失禁パッド包装体。
【請求項６】
前記男性用失禁パッドは、前記アウター部材の肌面側に吸収体が備えられ、
前記吸収体は、長手方向の端縁に前記第１折り目を跨いで切欠きが形成されている請求項１〜５のいずれか一項に記載の男性用失禁パッド包装体。
【発明の詳細な説明】
【技術分野】
【０００１】
本発明は、男性用失禁パッドが容器内に収容された男性用失禁パッド包装体に関するものである。
【背景技術】
【０００２】
従来、男性器に宛がって用いられる男性用の失禁パッドが知られている。例えば特許文献１には、一の方向に沿って形成された少なくとも２本の折り曲げ線によって襞状に折り畳まれた男性用失禁パッドが開示され、この男性用失禁パッドは、使用時には折り畳み状態を解除して肌面側に凹状の空間が形成できるようになっている。さらに特許文献１には、当該男性用失禁パッドを包装袋に包装した男性用失禁パッド包装体も開示されている。
【先行技術文献】
【特許文献】
【０００３】
【特許文献１】特開２０１０−１７２６５０号公報
【発明の概要】
【発明が解決しようとする課題】
【０００４】
男性用失禁パッドはまだ広く普及しておらず、その使用方法は一般の人に周知されているものではない。特に、特許文献１に開示されるような使用前に折り畳まれている男性用失禁パッドでは、包装袋から男性用失禁パッドを取り出した際、男性用失禁パッドの折り畳みをどのように展開すればよいか使用者が迷う場面がある。
【０００５】
本発明は前記事情に鑑みてなされたものであり、その目的は、男性用失禁パッド包装体から男性用失禁パッドを取り出した際に、使用者が容易にその使用方法が分かるように男性用失禁パッドが収容された男性用失禁パッド包装体を提供することにある。
【課題を解決するための手段】
【０００６】
前記課題を解決することができた本発明の男性用失禁パッド包装体とは、長手方向と幅方向を有する男性用失禁パッドが容器内に収容された男性用失禁パッド包装体であって、男性用失禁パッドは、長手方向に折り畳まれることにより山折りと谷折りが形成されたプリーツ部を有するアウター部材を有し、アウター部材の外面側には、プリーツ部よりも長手方向の外方に粘着部が設けられ、男性用失禁パッドが、粘着部が外側になるように長手方向に延びる第１折り目で折り返され、さらに幅方向に延びる第２折り目で折り返されることにより、折り畳まれた男性用失禁パッドが形成され、折り畳まれた男性用失禁パッドが容器に収容され、容器には粘着部と接合した剥離シートが固定されており、容器は、折り畳まれた男性用失禁パッドが第２折り目側から取り出し可能に形成されているところに特徴を有する。
【０００７】
本発明の男性用失禁パッド包装体は、男性用失禁パッドを容器から取り出す際、粘着部が剥離シートに接合していることにより、折り畳まれた男性用失禁パッドの長手方向の端部が、男性用失禁パッドを容器から取り出す力に抗するように作用する。そのため、男性用失禁パッドを容器から取り出すと、プリーツ部が自然に展開される。容器から取り出された男性用失禁パッドは、第２折り目と第１折り目を展開するとカップ状に形成することができるため、使用者はその使用方法を容易に理解できる。
【０００８】
本発明の男性用失禁パッド包装体は、複数の男性用失禁パッドを容器内に収容することができる。
【０００９】
アウター部材には、第２折り目の両側にプリーツ部が各々設けられていることが好ましい。このようにプリーツ部が設けられていれば、容器から男性用失禁パッドを取り出す際に、第２折り目の両側でプリーツ部がバランス良く展開されて、プリーツ部を展開させながら男性用失禁パッドを容器から取り出すことが容易になる。
【００１０】
男性用失禁パッドは、第１折り目の一方側であって第２折り目の一方側を第１部分とし、第１折り目の一方側であって第２折り目の他方側を第２部分とし、第１折り目の他方側であって第２折り目の一方側を第３部分とし、第１折り目の他方側であって第２折り目の他方側を第４部分としたとき、男性用失禁パッドが、第１折り目で折り返され、さらに第２折り目で第３部分と第４部分が内側になるように折り返され、粘着部は、第１部分と第２部分と第３部分と第４部分のそれぞれの外面側に設けられ、剥離シートは、第１部分の外面側、第２部分の外面側、および第３部分と第４部分の間にそれぞれ設けられていることが好ましい。このように粘着部と剥離シートが設けられていれば、男性用失禁パッドを容器から取り出す際、プリーツ部をより好適に展開することができる。
【００１１】
男性用失禁パッドは、アウター部材の肌面側に吸収体が備えられ、吸収体が内側になるように第１折り目で折り返され、吸収体は、長手方向の端縁近傍が第１折り目の両側で接合されていることが好ましい。このように吸収体が形成されていれば、男性用失禁パッドを容器から取り出して、男性用失禁パッドの第１折り目と第２折り目を展開した際、吸収体がカップ状（船底状）に形成されて、吸収体の男性器へのフィット性を高めやすくなる。
【００１２】
男性用失禁パッドは、アウター部材の肌面側に吸収体が備えられ、吸収体が内側になるように第１折り目で折り返され、吸収体は、長手方向の端縁に第１折り目を跨いで切欠きが形成されていることが好ましい。吸収体に第１折り目を跨いで切欠きが形成されていれば、第１折り目を利用して吸収体をカップ状に形成しやすくなり、吸収体の男性器へのフィット性を高めることができる。
【発明の効果】
【００１３】
本発明の男性用失禁パッド包装体は、男性用失禁パッドを容器から取り出す際、粘着部が剥離シートに接合していることにより、折り畳まれた男性用失禁パッドの長手方向の端部が、男性用失禁パッドを容器から取り出す力に抗するように作用する。その結果、男性用失禁パッドを容器から取り出すと、プリーツ部が自然に展開される。従って、使用者は、容器から男性用失禁パッドを取り出した際に男性用失禁パッドのプリーツ部が展開されることによって、男性用失禁パッドの使用方法を容易に理解できる。
【図面の簡単な説明】
【００１４】
【図１】本発明の男性用失禁パッド包装体に用いられる男性用失禁パッドの一例を表し、男性用失禁パッドを外面側から見た平面図を表す。
【図２】図１に示した男性用失禁パッドを肌面側から見た平面図を表す。
【図３】図１に示した男性用失禁パッドのＡ−Ａ断面図を表す。
【図４】図１に示した男性用失禁パッドをカップ状に形成し、外面側から見た斜視図を表す。
【図５】図１および図２に示した男性用失禁パッドの折り畳み方法を表す。
【図６】男性用失禁パッド包装体の斜視図を表す。
【図７】男性用失禁パッド包装体から男性用失禁パッドを取り出す際にプリーツ部が展開される様子を表す。
【図８】男性用失禁パッド包装体の他の例を表す。
【発明を実施するための形態】
【００１５】
本発明の男性用失禁パッド包装体は、男性用失禁パッドが容器内に収容されたものである。男性用失禁パッドは男性器に宛がって用いられ、男性用失禁パッドを装着することにより失禁による尿漏れを防ぐことができる。
【００１６】
本発明で用いられる男性用失禁パッドはプリーツによって折り畳まれたアウター部材を有しており、装着の際は、プリーツを展開することにより男性用失禁パッドをカップ状に形成し、男性器に好適に宛がうことができる。本発明の男性用失禁パッド包装体は、男性用失禁パッド包装体から男性用失禁パッドを取り出す際に男性用失禁パッドのプリーツを自然に展開することができ、男性用失禁パッドをカップ状に容易に形成することができる。
【００１７】
まず、本発明で用いられる男性用失禁パッドの構成について、図面を参照して説明する。なお本発明で使用される男性用失禁パッドは、図面に示された実施態様に限定されるものではない。
【００１８】
図１〜図４には、本発明の男性用失禁パッドの一例を示す。図１は男性用失禁パッドを外面側から見た平面図を表し、図２は図１に示した男性用失禁パッドを肌面側から見た平面図を表し、図３は図１のＡ−Ａ断面図を表し、図４はカップ状に形成した男性用失禁パッドを外面側から見た斜視図を表す。なお、本発明の図面では、矢印ｘが幅方向、矢印ｙが長手方向を表し、矢印ｘ，ｙにより形成される面に対して垂直方向が厚み方向ｚを表す。
【００１９】
男性用失禁パッド１は、長手方向ｙと幅方向ｘを有する。男性用失禁パッド１は、男性用失禁パッドを着用する際、長手方向ｙを着用者の股間の前後方向（上下方向）に合わせ、幅方向ｘを着用者の左右方向に合わせて着用することが好ましい。また本発明において、肌面側とは、男性用失禁パッドを着用する際に着用者の肌に向く側を意味し、外面側とは、着用者とは反対に向く側を意味する。
【００２０】
男性用失禁パッド１は、構成部材として少なくともアウター部材２を有する。アウター部材２は、長手方向ｙに折り畳まれることにより山折り４と谷折り５が形成されたプリーツ部３を有している。男性用失禁パッド１は、使用前は、図１や図２に示すようにアウター部材２が平面状に形成される。すなわち、アウター部材２のプリーツ部３が折り畳まれた状態に形成される。使用時には、男性用失禁パッド１は、図４に示すようにアウター部材２のプリーツ部３を展開して、アウター部材２をカップ状に形成して用いることが好ましい。つまり、男性用失禁パッド１は、使用の際、カップ形状の内部に男性器を収容して着用することが好ましい。なお、カップ形状とは一方側に膨らんだ形状を意味し、例えば、カップ形状の開口が同一平面に形成される必要はない。
【００２１】
アウター部材２のプリーツ部３は、幅方向ｘの両端が固定されていることが好ましい。具体的には、アウター部材２は、幅方向ｘの両端で、山折り４を挟んだ両側および谷折り５を挟んだ両側が接合されていることが好ましい。このようにプリーツ部３が形成されていれば、プリーツ部３の折り畳みを展開すると、図４に示されるように、アウター部材２をカップ状に形成しやすくなる。プリーツ部３の幅方向ｘの両端は、接着剤、熱融着、超音波融着等の公知の接合手段により固定（接合）されればよい。
【００２２】
本発明において、山折り４と谷折り５はアウター部材２の外面側から見て定められるものとする。また、プリーツ部３とは、図１や図２に示すようにアウター部材２が平面状に形成された状態で、アウター部材２のうち、折り畳まれて重ねられた部分の山折り４から谷折り５に至る部分およびそれと重なる部分を意味する。
【００２３】
図１では、プリーツ部３が長手方向ｙの両側に２つずつ設けられている。各プリーツ部３は、アウター部材２が長手方向ｙに折り畳まれて形成される。この際、各プリーツ部３は、少なくとも１つずつ形成された山折り４と谷折り５で折られることにより形成される。
【００２４】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００２５】
アウター部材２が、男性器を好適に収容できるようなカップ状に形成されるためには、図１に示すように、アウター部材２の長手方向ｙの両側に、プリーツ部３が各々設けられていることが好ましい。このようにプリーツ部３が設けられることにより、陰茎と陰嚢の両方を好適に収容しやすくなる。
【００２６】
各プリーツ部３は、長手方向ｙの中心側にまず山折り４が設けられるように形成されることが好ましい。具体的には、プリーツ部３を展開した状態で、各プリーツ部３には、長手方向ｙの中心側にまず山折り４が形成されることが好ましい。図１では、長手方向ｙの中心側にまず山折り４が設けられ、次いで、長手方向ｙの外方に谷折り５が設けられている。このようにプリーツ部３が形成されていれば、男性用失禁パッド１を男性器を収容してパンツの内側に固定した際、パンツの外側から見てプリーツ部３の折り目が分かりにくくなり、男性用失禁パッド１を装着することの心理的負荷が低減する。
【００２７】
アウター部材２の外面側には、プリーツ部３よりも長手方向ｙの外方に粘着部７が設けられる。アウター部材２の外面側に粘着部７が設けられていれば、男性用失禁パッド１を着用者のパンツの内側に好適に固定できるようになる。なお粘着部７は、後述するように、男性用失禁パッド１が容器内に収容された状態では、容器に設けられた剥離シートと剥離可能に接合されている。粘着部７は、アウター部材２に粘着剤が塗布されたり、粘着テープが貼り付けられることにより形成されればよい。
【００２８】
アウター部材２の形状（プリーツ部３が折り畳まれた状態での形状）は特に限定されない。アウター部材２の形状は、図１や図２に示すように角の丸まった四角形の形状であってもよく、また円形、楕円形、任意の多角形（角の丸まった多角形を含む）等であってもよい。なお、図１や図２に示すように、アウター部材２が長手方向ｙの外方に向かって幅方向ｘの長さが漸減するように形成されていれば、男性用失禁パッド１が着用者の股間でコンパクトに収まりやすくなる。また、アウター部材２は幅方向ｘに（すなわち、長手方向ｙに延びる中心線に対し）線対称に形成されることが好ましく、さらに、アウター部材２は長手方向ｙに（すなわち、幅方向ｘに延びる中心線に対し）線対称に形成されることも好ましい。
【００２９】
アウター部材は、親水性であっても液不透過性であってもよい。アウター部材は、１つの層から構成されていてもよく、複数の層から構成されていてもよい。例えば、アウター部材には肌面側に親水性層を有していてもよく、この場合、アウター部材の親水性層によって着用者から排泄された尿が吸収されるようになる。また、アウター部材は外面側に液不透過層を有していてもよく、この場合、アウター部材の液不透過層によって尿が外部に漏れるのが防止される。アウター部材は、吸収性材料を含有していてもよい。好ましくは、アウター部材は、肌面側に親水性層を有し外面側に液不透過層を有する積層体であるか、液不透過層のみから構成される。少なくとも後者の場合は、アウター部材２の肌面側に尿を吸収するための吸収体が設けられることが好ましい。図１〜図４では、アウター部材２の肌面側に吸収体１０が設けられている。
【００３０】
アウター部材を構成する材料としては、不織布、織布、編布、プラスチックフィルム、およびこれらの積層体等を使用できる。アウター部材の材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、レーヨン等の再生繊維、セルロース、コットン等の天然繊維を用いればよい。アウター部材の材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。アウター部材の材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。
【００３１】
アウター部材は水解性であってもよい。水解性とは、水洗トイレ等で水に流した際に分散あるいは溶解してその原形が失われる性質を意味する。従って、アウター部材が水解性であれば、アウター部材を通常の水洗トイレ等に流して廃棄することが可能となる。
【００３２】
アウター部材が水解性を有するためには、アウター部材が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００３３】
アウター部材は生分解性であってもよい。生分解性とは、微生物等の生物によって分解可能であることを意味する。アウター部材が生分解性であれば、アウター部材を水洗トイレに流して廃棄した際、下水処理場等で活性汚泥処理等が施されて、アウター部材が好適に二酸化炭素や汚泥等に分解され得る。
【００３４】
男性用失禁パッド１は、図１〜図４に示すように、アウター部材２の肌面側に吸収体１０が備えられることが好ましい。男性用失禁パッド１に吸収体１０が備えられていれば、着用者から排泄された尿を好適に吸収することができる。吸収体１０は、男性用失禁パッド１の使用の際にアウター部材２がカップ状に形成されると、図４に示すように、カップ状に形成されたアウター部材２の内側に収められることが好ましい。
【００３５】
図１〜図３では、吸収体１０はアウター部材２に固定部６で固定されている。つまり、吸収体１０は、男性用失禁パッド１の使用前からアウター部材２に固定されている。吸収体１０は、接着剤等の固定手段によりアウター部材２に固定されればよい。
【００３６】
固定部６はプリーツ部３以外の場所に設けられることが好ましい。従って、吸収体１０は、アウター部材２のプリーツ部３以外の部分に固定され、プリーツ部３には固定されていないことが好ましい。さらに、吸収体１０は、プリーツ部３を跨いでアウター部材２に固定されていないことが好ましい。このように吸収体１０がアウター部材２に固定されていれば、男性用失禁パッド１の着用の際、プリーツ部３の折り畳みを展開しやすくなる。
【００３７】
固定部６は、アウター部材２の長手方向ｙの中心付近に設けられることが好ましい。また、アウター部材２には、固定部６の長手方向ｙの両側にプリーツ部３が各々設けられていることが好ましい。このように男性用失禁パッド１が形成されていれば、アウター部材２のプリーツ部３の折り畳みを展開することにより、男性用失禁パッド１を、吸収体１０が内側に収められたカップ状に形成しやすくなる。
【００３８】
なお、図には示されていないが、吸収体１０は、アウター部材２に固定されていなくてもよい。例えば、男性用失禁パッド１の使用前は、吸収体１０はアウター部材２に固定されずに単に重ねられていてもよい。また、吸収体１０がアウター部材２に対して着脱可能に形成されていてもよい。
【００３９】
吸収体１０の形状は特に限定されない。吸収体１０の形状は、例えば、円形、楕円形、多角形（角の丸まった多角形を含む）、砂時計形等が挙げられる。好ましくは、吸収体１０は幅方向ｘに（すなわち、長手方向ｙに延びる中心線に対し）線対称に形成される。さらに、吸収体１０は、長手方向ｙに（すなわち、幅方向ｘに延びる中心線に対し）線対称に形成されることも好ましい。
【００４０】
吸収体１０は、アウター部材２に対し、次のように形成されていることが好ましい。すなわち、吸収体１０は、アウター部材２のプリーツ部３が折り畳まれた状態で、長手方向ｙに対しアウター部材２と同じかそれよりも長く形成され、アウター部材２のプリーツ部３が展開した状態で、長手方向ｙに対しアウター部材２よりも短く形成されていることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウター部材２の長手方向ｙの長さは、プリーツ部３の幅方向ｘの両端の接合を解いた状態で測定する。吸収体１０がアウター部材２に対しこのような関係で形成されていれば、カップ状に形成されたアウター部材２の内側に吸収体１０が好適に保持されやすくなる。また、吸収体１０の大きさが十分確保され、吸収体１０により着用者から排泄された尿が好適に吸収されるようになる。なお、吸収体１０は、幅方向ｘに対しては、アウター部材２と同じかそれよりも短く形成されていることが好ましい。
【００４１】
吸収体１０には、図２に示されるように、長手方向ｙの端縁に切欠き１１が形成されていることが好ましい。より好ましくは、切欠き１１は、吸収体１０の長手方向ｙの両端縁に形成される。吸収体１０の長手方向ｙの端縁に切欠き１１が形成されていれば、吸収体１０をカップ状に形成しやすくなる。すなわち、吸収体１０を幅方向ｘに折り曲げることで、カップ状に形成されたアウター部材２の肌側面に沿うように吸収体１０を形成することが容易となる。そのため、吸収体１０がカップ状に形成されたアウター部材２の内側に好適に収められるようになる。
【００４２】
切欠き１１の形状としては、切欠き１１は略Ｖ字状に形成されていることが好ましい。すなわち、切欠き１１は、吸収体１０の長手方向ｙの端縁から内方に向かって幅方向ｘの長さが漸減するように形成されていることが好ましい。
【００４３】
吸収体１０には、幅方向ｘの端縁に切欠き１２が形成されていることも好ましい。より好ましくは、切欠き１２は、吸収体１０の幅方向ｘの両端縁に形成される。吸収体１０の幅方向ｘの端縁に切欠き１２が形成されていれば、吸収体１０を長手方向ｙに折り曲げやすくなる。従って、吸収体１０の男性器へのフィットが向上し、男性器が吸収体１０によって好適に覆われるようになる。その結果、着用者から排泄された尿を吸収体１０がより確実に受けることができるようになる。
【００４４】
切欠き１２の形状としては、切欠き１２は略Ｖ字状に形成されていることが好ましい。すなわち、切欠き１２は、吸収体１０の幅方向ｘの端縁から内方に向かって長手方向ｙの長さが漸減するように形成されていることが好ましい。
【００４５】
吸収体は、尿を吸収できる材料から構成されていればよい。吸収体としては、例えば、（ｉ）吸収性材料をシート部材で覆ったもの、（ｉｉ）シート状の吸収性材料を所望形状に形成したもの、等を用いることができる。吸収性材料としては、前記（ｉ）の場合、例えば、粉砕したパルプ繊維、セルロース繊維等の親水性繊維；ポリアクリル酸系、ポリアスパラギン酸系、セルロース系、デンプン・アクリロニトリル系等の吸水性樹脂等を用いることができ、前記（ｉｉ）の場合、例えば、発泡ポリマー；ケミカルボンド不織布、エアレイド不織布、エアスルー不織布、スパンレース不織布等の液保持性の高い不織布等を用いることができる。前記（ｉ）の場合、シート部材の少なくとも一部は液透過性であり、液透過性のシート部材としては、紙（例えば、ティッシュペーパーや薄葉紙）や親水性不織布等を用いることができる。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。前記（ｉｉ）の場合も、シート状の吸収性材料がシート部材により覆われてもよい。
【００４６】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００４７】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００４８】
次に、男性用失禁パッド包装体について説明する。本発明の男性用失禁パッド包装体は、男性用失禁パッドが折り畳まれた状態で容器内に収容されている。男性用失禁パッドの折り畳み方法について、図５を用いて説明する。図５には、図１および図２に示した男性用失禁パッド１を折り畳む方法について示した。
【００４９】
男性用失禁パッド１は、長手方向ｙに延びる第１折り目２１と幅方向ｘに延びる第２折り目２２を有し、第１折り目２１で折り返され、さらに第２折り目２２で折り返されることにより４つ折りされている。この際、男性用失禁パッド１は、第１折り目２１で粘着部７が外側になるように、すなわち肌面側が内側になるように折り返される。このように第１折り目２１で折り返されることにより、男性用失禁パッド１を使用する際に、第１折り目２１を利用して男性用失禁パッド１を肌面側を内側にしたカップ形状に形成しやすくなる。
【００５０】
男性用失禁パッド１は、第１折り目２１と第２折り目２２によって、便宜的に次のように区分されるものとする。すなわち、第１折り目２１の一方側であって第２折り目２２の一方側を第１部分２３とし、第１折り目２１の一方側であって第２折り目２２の他方側を第２部分２４とし、第１折り目２１の他方側であって第２折り目２２の一方側を第３部分２５とし、第１折り目２１の他方側であって第２折り目２２の他方側を第４部分２６とする。男性用失禁パッド１を第２折り目２２で折り返す際は、第３部分２５と第４部分２６が内側になるように折り返されるものとする。従って４つ折りされた男性用失禁パッド１では、第３部分２５の外側に第１部分２３が重ねられ、第４部分２６の外側に第２部分２４が重ねられることとなる。
【００５１】
第１折り目２１は、男性用失禁パッド１の幅方向ｘの中心線と一致することが好ましい。このように第１折り目２１が設けられていれば、折り畳んだ男性用失禁パッド１がコンパクトになる。また、男性用失禁パッド１を使用する際は、第１折り目２１に基づいて男性用失禁パッド１の幅方向ｘの中心を容易に認識することができ、男性用失禁パッド１を適切に装着しやすくなる。
【００５２】
第２折り目２２は、男性用失禁パッド１の長手方向ｙの中心線と一致することが好ましい。このように第２折り目２２が設けられていれば、折り畳んだ男性用失禁パッド１がコンパクトになる。
【００５３】
本発明の男性用失禁パッド包装体は、上記のようにして折り畳まれた男性用失禁パッドが容器内に収容されている。図６には、男性用失禁パッド包装体の斜視図を示した。なお図６では、剥離シートが接合した男性用失禁パッドが容器の外側から可視化されて示されている。すなわち、剥離シートが接合した男性用失禁パッドは、容器の外側から見て実際には見えない部分であっても、実線で表示されている。
【００５４】
図６に示した男性用失禁パッド包装体３１は、図５に示した折り畳み方法により折り畳まれた男性用失禁パッド１が容器３２内に２つ収容されている。男性用失禁パッド１には、剥離シート３３が粘着部７と剥離可能に接合され、剥離シート３３はさらに容器３２に固定されている。そして、容器３２は、折り畳まれた男性用失禁パッド１が第２折り目２２側から取り出し可能に形成されている。このように形成された男性用失禁パッド包装体３１は、男性用失禁パッド１を第２折り目２２の近傍をつまんで容器３２から取り出す際、粘着部７が剥離シート３３に接合していることにより、折り畳まれた男性用失禁パッド１の長手方向ｙの端部が、男性用失禁パッド１を容器３２から取り出す力に抗するように作用する。その結果、図７に示すように、男性用失禁パッド１を容器３２から取り出すと、プリーツ部３が自然に展開される。容器３２から取り出された男性用失禁パッド１は、第２折り目２２と第１折り目２１を展開するとカップ状に形成することができる。
【００５５】
図６に示した男性用失禁パッド包装体３１は、例えば次のようにして得ることができる。すなわち、図５（ａ）に示した男性用失禁パッド１の外面側に、第１部分２３から第３部分２５にわたって剥離シート３３を設け、第２部分２４から第４部分２６にわたって別の剥離シート３３を設け、剥離シート３３を男性用失禁パッド１に重ねた状態で図５（ｂ）および図５（ｃ）に示すように折り畳んで、これを容器３２に収容し、剥離シート３３を容器３２に固定することで、図６に示すような男性用失禁パッド包装体３１を得ることができる。
【００５６】
剥離シート３３は、粘着部と剥離可能に接合できるものであれば、その材料は特に限定されない。例えば、剥離シートとしては、プラスチックフィルムやプラスチックフィルムを含む積層体を採用すればよい。この場合、プラスチックフィルムが粘着部への接触面となるように剥離シートが構成される。
【００５７】
剥離シート３３は、例えば、基材に剥離加工を施すことにより形成してもよい。剥離加工としては、基材にシリコーン樹脂を塗布しシリコーン樹脂層を設ける方法（シリコーン加工）が挙げられる。基材に剥離加工を施す場合、製造容易性やコスト面から、基材として紙を用いるのが好ましい。また、基材として紙を用いれば、基材の剥離加工されない部分あるいは面を容器に固定することが容易になる。
【００５８】
剥離シート３３は、アウター部材２の外面側に設けられた粘着部７を覆うように設けられればよい。粘着部７は、男性用失禁パッド１の第１部分２３、第２部分２４、第３部分２５、および第４部分２６よりなる群から選ばれる少なくとも１つに設けられればよく、剥離シート３３は、粘着部７が設けられた男性用失禁パッド１の各部分の外面側に設けられればよい。なお、図６に示した男性用失禁パッド１は、粘着部７が第１部分２３と第２部分２４と第３部分２５と第４部分２６のそれぞれの外面側に設けられているため、剥離シート３３は、第１部分２３の外面側、第２部分２４の外面側、および第３部分２５と第４部分２６の間にそれぞれ設けられている。図６に示すように粘着部７と剥離シート３３が設けられていれば、男性用失禁パッド１を容器３２から取り出す際、プリーツ部３をより好適に展開することができる。
【００５９】
剥離シート３３は、粘着部７と剥離可能に接合されている一方、容器３２には固定されている。剥離シート３３は、直接的に容器３２に固定されていてもよく、間接的に容器３２に固定されていてもよい。例えば、剥離シート３３は、別の剥離シート３３を介して間接的に容器３２に固定されていてもよい。
【００６０】
男性用失禁パッド１を容器３２から取り出す際、男性用失禁パッド１のみが容器３２から取り出され、剥離シート３３は容器３２内に残るようにすることが好ましい。従って、剥離シート３３と粘着部７との接合強度は、剥離シート３３と容器３２との接合強度より弱いことが好ましい。剥離シート３３が間接的に容器３２に固定されている場合は、剥離シート３３と容器３２との接合強度は、剥離シート３３と容器３２とを介在する部材間の接合強度のうち、最も弱いものを意味する。接合強度は、ＪＩＳ  Ｋ  ６８５４−１の接着剤剥離接着強さ試験（９０度剥離）に従って求めればよい。
【００６１】
容器３２内に収容する男性用失禁パッド１の数は特に限定されない、男性用失禁パッドは１つのみが容器に収容されてもよく、２つ以上（例えば、１０個や２０個）が容器に収容されてもよい。
【００６２】
容器３２は、男性用失禁パッド１を収容できるものであれば特に限定されず、例えば、紙製の箱、プラスチック製の箱、紙製の袋、プラスチック製の袋等が挙げられる。
【００６３】
容器３２から男性用失禁パッド１を取り出しやすくする点から、容器３２はある程度の剛性を有していることが好ましく、容器３２は箱であることが好ましい。また容器３２が箱であると、その箱に男性用失禁パッド１が収容されていることが外から見て認識できないようにしやすくなり、使用者が周囲の目を気にすることなく男性用失禁パッドを購入したり持ち運びしやすくなる。例えば、容器３２をタバコの箱と同じような大きさにして、容器３２の外面にデザインを施すことにより、男性の使用者が男性用失禁パッド包装体を携帯することの心理的負担を軽減することができる。
【００６４】
容器３２は、折り畳まれた男性用失禁パッド１が第２折り目２２側から取り出し可能に形成されている。すなわち、容器３２は開口３４を有し、または開口３４が形成可能に構成され、開口３４に男性用失禁パッド１の第２折り目２２が面している、または開口３４から男性用失禁パッド１の第２折り目２２が露出するように男性用失禁パッド包装体３１が構成されている。
【００６５】
容器３２には予め開口３４が形成されていてもよく、男性用失禁パッド１を取り出す際に開口３４を形成することができるように、容器３２が形成されていてもよい。後者の場合、例えば、容器に開口を覆う蓋を設け、蓋を開けることにより開口が形成されるようにしてもよく、容器に切断可能線（例えば、ミシン目等）を形成し、切断可能線を切断することにより開口が形成されるようにすればよい。容器に蓋が設けられる場合、蓋は一部が容器に固定していてもよく、容器から分離できるものでもよい。蓋は、開口とともに容器の外面を覆うような入れ子構造を有していていもよい。この場合、開口が容器の上側に形成されているとすると、入れ子構造の蓋は、容器を上側から覆うものでもよく、容器を側面から覆うものでもよい。
【００６６】
図８には、蓋３５が設けられた容器３２に男性用失禁パッド１が収容された男性用失禁パッド包装体３１を示した。図８（ａ），（ｂ）はいずれも、蓋３５が開いた状態の男性用失禁パッド包装体３１を表している。図８（ａ）では、容器３２の上側に開口３４が形成され、開口３４を覆う蓋３５が設けられている。図８（ｂ）では、容器３２の上側に開口３４が形成され、蓋３５が容器３２に対して入れ子構造を有しており、蓋３５が容器３２を側面から覆うように構成されている。男性用失禁パッド包装体３１や容器３２は、例えば図８に示した例のように構成されてもよい。
【００６７】
男性用失禁パッド１は、プリーツ部３を展開させながら容器３２から取り出しやすくするために、第２折り目２２の両側にプリーツ部３が各々設けられていることが好ましい。このようにプリーツ部３が設けられていれば、容器３２から男性用失禁パッド１を取り出す際に、第２折り目２２の両側でプリーツ部３がバランス良く展開されて、プリーツ部３を展開させながら男性用失禁パッド１を容器３２から取り出すことが容易になる。
【００６８】
男性用失禁パッド包装体３１は、男性用失禁パッド１に吸収体１０が備えられていても備えられていなくてもよいが、男性用失禁パッド１に吸収体１０が備えられる場合は、吸収体１０は下記のように形成されることが好ましい。
【００６９】
吸収体１０は、図５に示されるように、アウター部材２の肌面側に備えられ、男性用失禁パッド１を第１折り目２１で折り返す際は、吸収体１０が内側になるように折り返されることが好ましい。そして、第１折り目２１で折り返された吸収体１０は、長手方向ｙの端縁近傍が第１折り目２１の両側で接合されていることが好ましい。図５では、接合部１３で、吸収体１０の長手方向ｙの端縁近傍が第１折り目２１の両側で接合されている。このように吸収体１０が形成されていれば、男性用失禁パッド１を男性用失禁パッド包装体３１から取り出して、男性用失禁パッド１の第１折り目２１と第２折り目２２を展開した際、吸収体１０がカップ状（船底状）に形成されて、吸収体１０の男性器へのフィット性を高めやすくなる。
【００７０】
吸収体１０の長手方向ｙの端縁近傍が第１折り目２１の両側で接合される場合、吸収体１０は肌面側で互いに接合される。また、長手方向ｙの端縁から２０ｍｍ以内の領域（好ましくは１５ｍｍ以内の領域）で吸収体１０どうしが接合されることが好ましい。さらに、第１折り目２１から１５ｍｍ以内の領域（好ましくは１０ｍｍ以内の領域）で吸収体１０どうしが接合されることが好ましい。吸収体１０どうしの接合は、接着剤や熱融着等の接合手段により行えばよい。
【００７１】
吸収体１０の長手方向ｙの端縁に切欠き１１が形成される場合は、第１折り目２１を跨いで切欠き１１が形成されることが好ましい。第１折り目２１を跨いで切欠き１１が形成されていれば、第１折り目２１を利用して吸収体１０をカップ状に形成しやすくなり、吸収体１０の男性器へのフィット性を高めることができる。
【符号の説明】
【００７２】
１：  男性用失禁パッド
２：  アウター部材
３：  プリーツ部
４：  山折り
５：  谷折り
７：  粘着部
１０：  吸収体
１１，１２：  切欠き
２１：  第１折り目
２２：  第２折り目
３１：  男性用失禁パッド包装体
３２：  容器
３３：  剥離シート
【図１】
2013158451.tif 000003
【図２】
2013158451.tif 000004
【図３】
2013158451.tif 000005
【図４】
2013158451.tif 000006
【図５】
2013158451.tif 000007
【図６】
2013158451.tif 000008
【図７】
2013158451.tif 000009
【図８】
2013158451.tif 000010